(57)【特許請求の範囲】
【請求項１】
折り曲げることによって安定した三角柱の構造を形成する第１から第４の板を有する髭剃り装置と、折り曲げることによって安定した三角柱の構造を形成する第５から第８の板を有するハンドルと、髭剃り板とを有する人間の手のひらに容易に収まる大きさで長さが短く厚さが薄いカード形状の折りたたみ式髭剃りカードを含む情報生活カードであって、
前記三角柱の構造は、第１から第４の板の長手方向に一方の係合部材から他方の係合部材の向きに見て三角形状の角柱の構造であり、第３の板から第５の板の契合部材の向きに見て三角形状の角柱の構造であり、
前記髭剃り板は、髭剃り刃を有する髭剃り部と、前記髭剃り部を有する第３の板と、前記髭剃り部を所定の範囲内で回転可能に支持するための支持部材と、前記髭剃り部を所定の範囲内で回転可能に支持するための支持棒と、前記髭剃り部と前記第３の板との間に設置された弾性部材とで構成し、前記支持部材は、前記第３の板の上面に設け、前記髭剃り部に設けられた前記支持棒は、前記髭剃り部と前記第３の板との間の角度が所定の角度の範囲内でのみ前記髭剃り部が動くように制止するための制止部材を有する回転制止機構を備え、前記制止部材は、前記支持部材に設けられた凹部の内部を動くことを特徴とする情報生活カード。
【請求項２】
折り曲げることによって安定した三角柱の構造を形成する第１から第４の板を有する髭剃り装置と、折り曲げることによって安定した三角柱の構造を形成する第５から第８の板を有するハンドルと、髭剃り板とを有する人間の手のひらに容易に収まる大きさで長さが短く厚さが薄いカード形状の折りたたみ式髭剃りカードを含む情報生活カードであって、
前記三角柱の構造は、第１から第４の板の長手方向に一方の係合部材から他方の係合部材の向きに見て三角形状の角柱の構造であり、第３の板から第５の板の契合部材の向きに見て三角形状の角柱の構造であり、
前記折りたたみ式髭剃りカードの第１の板の片面に薄い板磁石を設け、前記板磁石と対向する側の第４の板に磁石が引き付ける物質を設け、前記折りたたみ式髭剃りカードの前記第１の板を前記第４の板に層状に重ね合わせた後に、前記第１の板は、前記第１の板と前記第４の板の磁力により契合することを特徴とする情報生活カード。
【請求項３】
折り曲げることによって安定した三角柱の構造を形成する第１から第４の板を有する髭剃り装置と、折り曲げることによって安定した三角柱の構造を形成する第５から第８の板を有するハンドルと、髭剃り板とを有する人間の手のひらに容易に収まる大きさで長さが短く厚さが薄いカード形状の折りたたみ式髭剃りカードを含む情報生活カードであって、
前記三角柱の構造は、第１から第４の板の長手方向に一方の係合部材から他方の係合部材の向きに見て三角形状の角柱の構造であり、第３の板から第５の板の契合部材の向きに見て三角形状の角柱の構造であり、
前記髭剃り板は、髭剃り部を有し、前記髭剃り部は、前記髭剃り部と第３の板との間の角度が所定の角度以上に開かないように弾性部材と前記髭剃り部との連結状態を保つためのストッパと、前記ストッパを内包する内部通路とを有し、
前記ストッパは、前記弾性部材および前記髭剃り部の動きに伴い前記内部通路の内部を自由に動き、
前記ストッパと前記弾性部材の先端部との間は、連結部材で連結し、前記連結部材は、前記弾性部材および前記髭剃り部の動きに従って前記内部通路から前記弾性部材の方向に設けた連結通路の内部を自由に動くことを特徴とする情報生活カード。
【発明の詳細な説明】
【０００１】
【発明の属する技術分野】
この発明は、カード型歯ブラシ、カード型髭剃り、カード型情報機器、鏡、照明ランプ等を有する情報生活カードに関する。
【０００２】
【従来の技術】
アリストテレス著「健康の書」によれば、ギリシアの昔、アリストテレスはアレキサンドロス大王に目の粗いタオルで歯を磨くことを助言した。
【０００３】
歯を磨き、髭をそり、コミュニケーションを行うことは人間生活の必須行為である。また、必要となった時点で、いつ、どこでも即座に健康状態を維持し向上させるために歯を磨き、髭をそり、コミュニケーションを行う行為を実施することは、古今を問わず人間生活を向上させるための必須行為である。
【０００４】
しかし、従来の歯ブラシは、長さが長く、形状がでこぼこしているため携帯するには不便であった。また、従来の髭剃りは、長さが長く、形状がでこぼこしているため携帯するには不便であった。長さが短く、厚さが薄いカード形状の歯ブラシ及び髭剃りは存在しなかった。
【０００５】
【発明が解決しようとする課題】
そこで、本発明は、長さが短く、厚さが薄いカード形状のカード型歯ブラシ、カード型髭剃り、カード型情報機器、鏡、照明ランプ等を有する情報生活カードを実現することを目的としている。
【０００６】
【課題を解決するための手段】
上記目的を達成するために、本発明の情報生活カードは、人間の手のひらに容易に収まる大きさで厚みが数ミリメートル程度の髭剃りカードと、人間の手のひらに容易に収まる大きさで厚みが数ミリメートル程度の歯ブラシカードと、人間の手のひらに容易に収まる大きさで厚みが数ミリメートル程度の情報通信装置と、鏡面としての反射板を有する筐体と、利用者を照明するための照明装置とから構成するものである。
【０００７】
本発明の髭剃りカードは、使用時に他の板と層状に重なり合う第１の板と、使用時に他の板を支える第２の板と、髭剃り部を備えて第２の板が支える第３の板、そして使用時に第１の板と層状に重なり合う第４の板とから構成される髭剃り装置と、使用時に他の板と層状に重なり合う第５の板と、使用時に他の板と層状に重なり合う第６の板と、使用時に第５の板と層状に重なり合う第７の板と、そして使用時に第６の板と層状に重なり合う第８の板とから構成されるハンドルとを有する。
【０００８】
本発明の歯ブラシカードは、カード状態から歯ブラシ状態に組み立てるとき他の板と契合するための契合部材を有する第１の板と、カード状態から歯ブラシ状態に組み立てるとき第一の板を支持する第２の板と、カード状態から歯ブラシ状態に組み立てるとき他の板と層状に重なって契合するための契合部材を一方の端部に有し他方の端部に歯ブラシ装置を有する第３の板と、端部に歯ブラシ装置を有しカード状態から歯ブラシ状態に組み立てるとき第３の板と層状に重なりあう第４の板と、カード状態から歯ブラシ状態に組み立てるとき第１の板の長さ方向の端部と接続する第５の板と、そしてカード状態から歯ブラシ状態に組み立てるとき第１の板と層状に重なる第６の板とを有し、各々の板は片面で折り曲げ回数に対する耐破裂性を有する薄膜で連結された切目を有する。
【０００９】
第１から第６の各々の板は本発明の歯ブラシカードを使用時に折り曲げて展開するり歯ブラシカードに折り畳（たた）んだりするための折り畳み用の基準線として機能する切目もしくは折り曲げ回数に対する耐破裂性を有する薄膜で連結した切目を有する。

【００１０】
本発明の情報生活カードの照明装置は、高輝度発光ダイオードを有し高輝度発光ダイオードより発光した光は反射鏡で反射され照明用の窓より光を出力する。
【００１１】
本発明の髭剃りカードは、髭剃り装置を構成する第１の板、第２の板、第３の板、そして第４の板と、ハンドルを構成する第4の板、第５の板、第６の板、第７の板、そして第８の板とを有し、各々の板は片面で折り曲げ回数に対する耐破裂性を有する薄膜で連結された切目を有する。
【００１２】
本発明の情報生活カードの第１の板は、使用時に第４の板と層状に重なることによって第２の板及び第３の板を支え、第２の板は、使用時に第３の板を支える。
【００１３】
本発明の情報生活カードの第３の板は、髭剃り部を備えた髭剃り板を構成し、使用時に利用者の髭を剃る。
【００１４】
本発明の情報生活カードは、使用時に第５の板は第７の板と重なり、第６の板は第８の板と重なることにより、使用時に相互に補強し合う安定したハンドルを構成する。
【００１５】
本発明の情報生活カードは、第１の板を第４の板に重ね合わせた後、契合部材で第１の板と第４の板とを契合する。
【００１６】
本発明の情報生活カードの契合部材は、第１の板の片面に薄い板磁石を設け、板磁石と対向する側の第４の板に磁石が引き付ける物質を設けることより第１の板と第４の板とを磁力により契合させる。
【００１７】
本発明の情報生活カードの第１の片面に薄い板磁石をＮ極（Ｓ極）が外側になるように設け、板磁石と対向する第４の板に反対極の磁石Ｓ極（Ｎ極）が対向するように設けることより第１の板と第４の板とを磁力により契合させる。
【００１８】
本発明の情報生活カードは、切目が外側になるように第８の板及び第７の板を折り曲げ、第８の板の端部を第４の板と第６の板との間の切目を外側にもつ線上に合わせた後（第１の折り曲げ状態）、次に、切目が外側になるように第６の板及び第５の板を折り曲げ、第１の折り曲げ状態で折り曲げられた第８の板及び第７の板の上に覆うように重ね合わせ、契合部材により第５の板と第７の板とを契合させる（第２の折り曲げ状態）ことによりハンドルを形成する。
【００１９】
本発明の情報生活カードの髭剃り板は、髭剃り部、第３の板、髭剃り部を所定の範囲内で回転可能に支持するための支持部材、髭剃り部を所定の範囲内で回転可能に支持するための支持棒、髭剃り部と第３の板との間に設置された板バネで構成する。
【００２０】
本発明の情報生活カードの髭剃り部は、髭剃り部と第３の板との間の角度が所定の角度以上に開かないように板バネと髭剃り部との連結状態を保つためのストッパと、ストッパを内包する内部通路とを有する。
【００２１】
本発明の情報生活カードのストッパは、板バネおよび髭剃り部の動きに伴い内部通路の内部を自由に動く。
【００２２】
本発明の情報生活カードのストッパと板バネの先端部との間は連結部材で連結され、板バネおよび髭剃り部の動きに従って内部通路から板バネの方向に設けられた連結通路の内部を自由に動く。
【００２３】
本発明の情報生活カードの支持部材は第３の板の上面に設けられ、髭剃り部に設けられた支持棒は髭剃り部と第３の板との間の角度が所定の角度の範囲内でのみ髭剃り部が動くように制止するための制止部材を有する回転制止機構を備え、制止部材は支持部材に設けられた凹部の内部を動く。
【００２４】
本発明の情報生活カードは、ハンドルを構成する第４の板、第５の板、第６の板、第７の板、そして第８の板は、各々の板の長さ方向に垂直に各々の板にわたる一直線の折れ目もしくは折り曲げ回数に対する耐破裂性を有する薄膜で連結した切目を有し、切目は、折り畳み用の基準線として髭剃りカードを折り畳んだり折り曲げ展開する。
【００２５】
【作用】
上記のように構成された髭剃りカードは、厚さが約２ミリメートル程度の薄さであるので携帯に便利であり、いつでも、どこでも、必要なとき即座に使用できる。
【００２６】
上記のように構成された歯ブラシカードは、厚さが約２ミリメートル程度の薄さであるので携帯に便利であり、いつでも、どこでも、必要なとき即座に使用できる。
【００２７】
上記のように構成された情報生活カードは、厚さが約６ミリメートル程度の薄さであるので携帯に便利であり、いつでも、どこでも、必要なとき即座に使用できる。
【００２８】
【実施例】
本発明をより詳細に説術するために、添付の図面に従ってこれを説明する。先ず、本発明の髭剃りカードを説明する。
【００２９】
図１（A）は、本発明の髭剃りカードを全開した平面の状態を説明する図である。髭剃りカードは、タングステンカーバイト等の超硬合金、鉄、アルミニウム、ステンレス等の金属、プラスチック、セラミック、ガラス、その他の薄くて強度をもつ板材であれば何であってもよい。髭剃りカードは、髭剃り装置を構成する第１の板１０、第２の板１８、第３の板５６、そして第４の板３０と、ハンドルを構成する第５の板５４、第６の板４８、第７の板４０、そして第８の板３６とから成る。第５から第８の各板の長さ方向の長さは所望の一定値に設定し、各板の長さ方向を直角に切る長さは使用する板の厚さに応じて各板毎に多少の変化をつけて良い。図示されているように、第４の板３０は髭剃り装置及びハンドルの構成要素である。ハンドルを構成する第５から第８の板は、図示されているように各板の端部近くに折り曲げ回数に対する耐破裂性を有する薄膜で各々の板の片面を連結することによって得られた切目３４を他方の片面に有する。折り曲げ回数に対する耐破裂性を有する薄膜は、例えば繊維素材、ポリプロピレン材等の折り曲げ回数に対する耐破裂性を有する素材であれば何でも良い。切目３４は、折り畳み用の基準線として機能し髭剃りカードを折り畳んだり展開するよう作用する。第１の板１０は、使用時に第４の板３０と層状に重なり第２の板１８及び第３の板５６を支える作用をする。第２の板１８は、使用時に第３の板５６を支える作用をする。第３の板５６は、髭剃り部２３を備える髭剃り板であり、使用時に、利用者の髭を剃る作用をする。
【００３０】
第１の実施例では、髭剃り部２３は第３の板５６に固着した髭剃り板を示す。第８の板３６は第６の板４８と層状に重なり、第７の板４０は第５の板５４と層状に重なることにより、使用時に相互に補強し合う作用をなし構成されたハンドルを安定させる効果を奏する。実線は、見ている側の板と板の間に切目１６、２０、２６、そして３２があることを示し、点線は見ている側の反対面に切目３４、３８、４２、４６、そして５２があることを示す。第５の板５４は、他の板と接続しない端部５５を有し、第８の板３６は、他の板と接続しない端部３７を有する。
【００３１】
ここで、本明細書において、本発明の板材として表（裏）面に切目を設け、裏（表）面に切目を設けないとは、既に説明したように、板材を切断し、一方の板材と他方の板材のそれぞれの切断面を隣接し、板材の表（裏）面のみに例えば繊維素材、ポリプロピレン材のような薄く、曲げ回数に対する耐破裂性を有し、そして柔らかい材料で製造された薄板を貼り付けることを意味する。もしくは、平丁番、旋丁番等の丁番で連結することを意味する。または、例えばプラスチックのような加工しやすい材質では一体成形により切目を材料の厚みの約９８％程度（材質に応じて任意に設定してよい）まで設けることによって製造することを意味する。以下同様である。
【００３２】
第１の板１０は、カード状態から髭剃り状態に組み立てるとき第４の板３０と契合するための契合部材１２及び１４を有する。第５の板５４は、カード状態から髭剃り状態に組み立てるとき第７の板４０と契合するための契合部材５０を有する。図示してないが、第５の板５４の契合部材５０の場合と同様に、第８の板３６は、第６の板４８と契合するようにさらに契合部材を設けてもよい。第３の板５６は、切目２０及び２６を有する面上に髭剃り刃２２及び２４と基台２８で構成する髭剃り部２３を有する髭剃り板である。第１の実施例では、髭剃り部２３は第３の板５６に固着している。第４の板３０は、表面から裏面にわたる切目３２を有する。
【００３３】
図１（B）は、本発明の髭剃りカードを全開した底面の状態を説明する図である。実線及び点線は、既に説明した通りである。
【００３４】
図１（C）は、図１（B）において第３の板５６に開口部５７及び支持板３３を設けた本発明の髭剃りカードを全開した底面の状態を説明する図である。開口部５７は、髭剃り部２３に対応した大きさで髭剃り板である第３の板５６に図示するように設けられる。つまり、開口部５７は、髭剃り部２３と同じ大きさの場合も有り得るし髭剃り部２３より小さい場合も有り得るし大きい場合も有り得る。開口部５７は、使用時に剃りとった髭を排出する作用をなし多量の剃った髭をため込まない効果を奏する。支持板３３は、髭剃りカードを使用する状態に折り曲げた際、第２の板１８を支持する。支持板３３は、弾性特性をもつ厚み（例えば０．１ミリメートル以下）の薄い鋼板材料で製造されている。支持板３３は、髭の種類に応じて必要ならば設けて良いが、必要なければ設ける必要はない。実線及び点線は、既に説明した通りである。
【００３５】
図２（A）は、折りたたんだ状態の本発明の髭剃りカードの正面の状態を説明する図である。本発明の髭剃りカードを切目３４を折れ線として、切目３４が外側になるように、第５の板５４、第６の板４８、第７の板４０、そして第８の板３６を第１から第４の板に対向して折りたたんだ状態である。折りたたんだ状態の本発明の髭剃りカードの正面は、第５の板５４、第６の板４８、第７の板４０、そして第８の板３６で構成される。
【００３６】
図２（B）は、折りたたんだ状態の本発明の髭剃りカードの背面の状態を説明する図を示す。折りたたんだ状態の本発明の髭剃りカードの背面は、第１の板１０、第２の板１８、第３の板５６、第４の板３０、第５の板５４、第６の板４８、第７の板４０、そして第８の板３６で構成される。
【００３７】
図２（C）は、図２（B）において示した折りたたんだ状態の本発明の髭剃りカードの左側面の状態を説明する図である。本発明によれば、第１から第８の各々の板の厚みが約０．２ミリメートル、髭剃り部２３を固着した髭剃り板の厚みが約１．６ミリメートルの場合、折りたたんだ状態の本発明の髭剃りカードの厚みは約２ミリメートルである。第１から第８の各々の板の厚み及び髭剃り部の厚みに応じて、折りたたんだ状態の本発明の髭剃りカードの厚みは変化する。
【００３８】
図２（D）は、折りたたんだ状態の本発明の髭剃りカードの右側面の状態を説明する図である。折りたたんだ状態の本発明の髭剃りカードの厚みは、既に説明した通りである。
【００３９】
図３（A）は、本発明の髭剃りカードを使用する状態に折り曲げた正面の状態を説明する図を示す。使用状態の本発明の髭剃りカードは髭剃り装置ＡとハンドルＢで構成される。折り畳み手順は、髭剃り装置Ａを構成するように折り曲げ、次にハンドルＢを構成するように折り曲げる。あるいは、ハンドルＢを構成するように折り曲げ、次に髭剃り装置Ａを構成するように折り曲げてもよい。髭剃り装置Ａは、切目１６、２０、そして２６が外側になるように第１の板１０、第２の板１８、そして第３の板５６を折り曲げ、第１の板１０を切目２６がない側の第４の板３０に重ね合わせた後、契合部材１２及び１４で第１の板１０と第４の板３０とを契合することにより形成される。ここで、契合部材による契合方法を説明したが、第１の板１０の切目１６がある面に薄い板磁石Ｍを設け、対向面である第４の板３０の切目２６がない側に磁石が引き付ける物質、例えばステンレス板、鉄板等の磁性金属板あるいはその他の磁性物質を設けることより第１の板１０と第４の板３０とを磁力により契合させてもよい。さらに、第１の板１０の切目１６がある面に薄い板磁石Ｍaを設け、対向面である第４の板３０の切目２６がない側に磁石Ｍaと反対極の磁石Ｍbが対向するように設けることより第１の板１０と第４の板３０とを磁力により契合させてもよい。ハンドルＢは、切目３８及び４２が外側になるように第８の板３６及び第７の板４０を折り曲げ、第８の板３６の端部３７を切目４６を外側にもつ線上に合わせた後（第１の折り曲げ状態）、次に、切目４６及び５２が外側になるように第５の板５４及び第６の板４８を折り曲げ、第１の折り曲げ状態で折り曲げられた第７の板４０及び第８の板３６の上に覆うように重ね合わせ、契合部材５０により第５の板５４と第７の板４０とを契合させる（第２の折り曲げ状態）ことにより形成する。あるいは、ハンドルＢは、切目４６及び５２が外側になるように第５の板５４及び第６の板４８を折り曲げ、第５の板５４の端部５５を切目４２を外側にもつ線上に合わせた後（第１aの折り曲げ状態）、次に、切目３８及び４２が外側になるように第７の板４０及び第８の板３６を折り曲げ、第１aの折り曲げ状態で折り曲げられた第５の板５４及び第６の板４８の上に覆うように重ね合わせ、契合部材（図示せず）により第６の板４８と第８の板３６とを契合させる（第２aの折り曲げ状態）ことによって形成する。第１から第４までの板は、図示するように第１の板１０、第２の板１８、第３の板５６、そして第４の板３０を折り曲げた状態の長手方向に一方の係合部材１２から他方の係合部材１４の向きに見てもしくは他方の係合部材１４から一方の係合部材１２の向きに見て三角形状の角柱の構造となり安定した三角柱の髭剃り装置Ａを構成する。支持板３３は、髭の種類に応じて必要ならば設けて良いが、必要なければ設ける必要はないことは既に説明した通りである。
【００４０】
図３（Ｂ）は、本発明の髭剃りカードを使用する状態に折り曲げた状態の左側面の状態を説明する図を示す。使用する状態に折り曲げた状態の髭剃りカードの左側面において、髭剃り刃２２及び２４と基台２８で構成する髭剃り部２３を固着した髭剃り板が見られる。第５から第８までの板は、図示するように第５の板５４、第６の板４８、第７の板４０、第８の板３６、および第４の板３０の切目４２、４６を外側にもつ部分の板を折り曲げた状態の第３の板５６から契合部材５０の向きに見て三角形状の角柱の構造となり安定した三角柱のハンドルＢを構成する。
【００４１】
図３（C）は、本発明の髭剃りカードを使用する状態に折り曲げた状態の右側面の状態を説明する図を示す。第５の板５４に設けられた契合部材５０により第５の板５４と第７の板４０とが契合することにより安定したハンドルを構成する。第５から第８までの板は、既に図示して説明したように三角形状の角柱の構造となり安定した三角柱のハンドルＢを構成する。
【００４２】
図４（A）は、本発明の髭剃りカードを使用する状態に折り曲げた状態の平面の状態を説明する図を示す。本実施例において、契合部材１２及び１４で第１の板１０と第４の板３０とを契合することにより安定した髭剃り装置を構成する。さらに、契合部材５０により第５の板５４と第７の板４０とが契合することにより安定したハンドルを構成する。
【００４３】
図４（B）は、本発明の髭剃りカードを使用する状態に折り曲げた状態の底面の状態を説明する図を示す。第２の板１８は、髭剃り刃２２及び２４と基台２８で構成する髭剃り部２３を固着した髭剃り板である第３の板５６を安定に支持する。
【００４４】
図５（A）は、第２の実施例の髭剃り板の開いた状態の側面を説明する図を示す。第２の実施例の髭剃り板は、髭剃り部２３、第３の板５６、髭剃り部２３を所定の範囲内で回転可能に支持するための第３の板５６の上面に設けられた支持部材８６、髭剃り部２３を所定の範囲内で回転可能に支持するための髭剃り部２３の端部９０に設けられた支持棒８４、髭剃り部２３と第３の板５６との間に設置された先端部８０を有する鋼線もしくは板バネ等の弾性部材８２で構成される。
【００４５】
図５（B）は、髭剃り部２３と鋼線もしくは板バネ等の弾性部材８２との接続装置の一例を示す拡大図である。髭剃り部２３と鋼線もしくは板バネ等の弾性部材８２との接続装置は、内部通路８５、連結通路７９、ストッパ８３、そして連結部材８１で構成される。髭剃り部２３は、図示されているように鋼線もしくは板バネ等の弾性部材８２と髭剃り部２３との連結状態を保つためのストッパ８３を内包する内部通路８５を有する。ストッパ８３は、髭剃り部２３と第３の板５６との間の角度が所定の角度以上に開かないような回転制止機構の働きをする。ストッパ８３は、鋼線もしくは板バネ等の弾性部材８２および髭剃り部２３の動きに伴い内部通路８５の内部を自由に動く。ストッパ８３と鋼線もしくは板バネ等の弾性部材８２の先端部８０との間は、連結部材８１で連結されている。連結部材８１は、内部通路８５から鋼線もしくは板バネ等の線状の弾性部材８２方向に設けられた連結通路７９の内部を鋼線もしくは板バネ等の弾性部材８２および髭剃り部２３の動きに伴い連結通路７９の内部を自由に動く。
【００４６】
図５（Ｃ）は、髭剃り部２３が第３の板５６から所定の角度だけ開いた状態における第３の板５６の上面に設けられた回転制止機構を備えた支持部材８６の断面の状態を説明する拡大図である。回転制止機構は、髭剃り部２３に設けられた支持棒８４が、髭剃り部２３と第３の板５６との間の角度が所定の角度（例えば、２０度乃至３０度）の範囲内でのみ髭剃り部２３が動くように制止するための制止部材８７を有することにより実現する。制止部材８７は、支持部材８６に設けられた凹部８９の内部を動く。図示されているように、制止部材８７は、髭剃り部２３が第３の板５６から所定の角度だけ開いた位置で止まっている。
【００４７】
図５（Ｄ）は、髭剃り部２３と第３の板５６とが平行で閉じた状態における第３の板５６の上面に設けられた支持部材８６の断面の状態を説明する拡大図を示す。 図示されているように、制止部材８７は、髭剃り部２３と第３の板５６とが平行で閉じるような位置で止まっている。
【００４８】
図６（Ａ）は、第２の実施例の髭剃り板の髭剃り部２３と第３の板５６とが平行で開いた状態の正面を説明する図である。髭剃り部２３を所定の範囲内で回転可能に支持するための支持棒８４は、髭剃り部２３の端部９０及び８８の各々一方に設けられる。鋼線もしくは板バネ等の弾性部材８２の一方の端部は、髭剃り部２３が第３の板５６の方向に押されたとき元の位置に回復するように髭剃り部２３に作用する。鋼線もしくは板バネ等の弾性部材８２の他方の端部は、第３の板５６に固着されている。
【００４９】
図６（Ｂ）は、第２の実施例の髭剃り板の髭剃り部２３と第３の板５６とが平行で閉じた状態の正面を説明する図である。髭剃り板の髭剃り部２３と第３の板５６とが平行で閉じた状態では、鋼線もしくは板バネ等の弾性部材８２は髭剃り部２３と第３の板５６とに平行な状態である。
【００５０】
図７（Ａ）は、第３の実施例の髭剃り板の髭剃り部２３と第３の板５６とが開いた状態の側面を説明する図を示す。第３の実施例の髭剃り板は、髭剃り部２３、第３の板５６、髭剃り部２３を所定の範囲内で回転可能に支持するための第３の板５６の上面に設けられた支持部材８６、髭剃り部２３を所定の範囲内で回転可能に支持するための髭剃り部２３の端部９０に設けられた支持棒８４、髭剃り部２３と第３の板５６との間に設置されたコイルバネ９２で構成される。
【００５１】
図７（Ｂ）は、第３の実施例の髭剃り板の髭剃り部２３と第３の板５６とが開いた状態の正面を説明する図である。髭剃り部２３を所定の範囲内で回転可能に支持するための支持棒８４は、髭剃り部２３の端部９０及び８８の各々一方に設けられる。支持部材８６は、既に説明したように回転制止機構を備える。コイルバネ９２の一方の端部は、髭剃り部２３の底面に接触し髭剃り部２３を支える。髭剃り部２３を押上力の必要性に応じて、複数個のコイルバネ９２を設けて良い。
【００５２】
図７（Ｃ）は、第３の実施例の髭剃り板の髭剃り部２３と第３の板５６とが閉じた状態の正面を説明する図を示す。コイルバネ９２は、髭剃り部２３と第３の板５６との間で圧縮している。
【００５３】
次に、本発明の歯ブラシカードを添付の図面に従って説明する。
【００５４】
図８（A）は、本発明の歯ブラシカードを全開した状態の平面を説明する図である。本発明の歯ブラシカードは、歯ブラシ装置Ｈ、支柱部Ｉ、そしてハンドルJから構成される。歯ブラシカードは、タングステンカーバイト等の超硬合金、鉄、アルミニウム、ステンレス等の金属、プラスチック、セラミック、ガラス、その他の薄くて強度をもつ板材であれば何であってもよい。歯ブラシカードは、第１の板１１６、第２の板１１８、第３の板１２０、第４の板１２２、第５の板１２４、そして第６の板１２６を有する。各板の長さ方向を直角に切る長さは使用する板の厚さに応じて各板毎に多少の変化をつけて良い。実線は、見ている側の板と板の間に切目１３２があることを示し、点線は見ている側の反対面に切目１１２、１２８、１３０、１３４、そして１３６があることを示す。第１の板１１６、第２の板１１８、第３の板１２０、第４の板１２２、第５の板１２４、そして第６の板１２６は、図示されているように各々の板に端部から離れた位置に切目１１２を有する。切目１１２は、折り畳み用の基準線として機能し歯ブラシカードを折り畳んだり歯ブラシとして展開するよう作用する。第１の板１１６は、カード状態から歯ブラシ状態に組み立てるとき第３の板１２０及び第４の板１２２と契合するための契合部材１０８及び１１０を有する。第３の板１２０は、カード状態から使用時の歯ブラシの状態に組み立てるとき第４の板１２２と層状に重なる。第３の板１２０は、歯ブラシとして使用時に一方の端部に設けられた契合部材１５２により層状に重なった第４の板１２２と契合する。第３の板１２０は、他方の端部に歯ブラシ装置Ｈを有する。同様に、第４の板１２２も、端部に歯ブラシ装置Ｈを有する。歯ブラシ装置Ｈは、歯ブラシ基部１５４及びブラシ１０２及び１００を含む。歯ブラシ基部１５４は、ブラシ１０２及び１００を固定するものであって、既に説明したように、プラスチック、セラミック、その他の硬質の材料であれば何であってもよい。第３の板１２０は、材料の性質により必要に応じて歯ブラシ装置Ｈを支える支柱部Ｉを補強する補強部材１０４を備えてもよい。同様に、第４の板１２２は、歯ブラシ装置Ｈを支える支柱部Ｉを補強する補強部材１０６を備えてもよい。第６の板１２６は、使用時の歯ブラシ本体に展開するとき第１の板１１６と契合するための契合部材１４８を有する。
【００５５】
図８（B）は、本発明の歯ブラシカードを全開した状態の底面を説明する図である。実線及び点線の意味は、既に説明した通りである。
【００５６】
図９（A）は、本発明の歯ブラシカードを折りたたんだ状態の左側面を説明する図を示す。切目１１２を折折れ線として切目１１２が外側になるように折り畳んだ状態である。本発明の実施例によれば、第１から第６の各々の板の厚みが約０．２ミリメートル、歯ブラシ基部１５４の厚みが約１．６ミリメートルの場合、折りたたんだ状態の本発明の髭剃りカードの厚みは約２ミリメートルである。
【００５７】
図９（B）は、本発明の歯ブラシカードを折りたたんだ状態の正面を説明する図である。切目１１２を折れ線として切目１１２が外側になるように折り畳んだ状態である。
【００５８】
図９（C）は、本発明の歯ブラシカードを折りたたんだ状態の右側面を説明する図である。切目１１２を折れ線として切目１１２が外側になるように折り畳んだ状態である。
【００５９】
図９（D）は、本発明の歯ブラシカードを折りたたんだ状態の背面を説明する図である。切目１１２を折れ線として切目１１２が外側になるように折り畳んだ状態である。
【００６０】
図１０（A）は、本発明の歯ブラシカードの折り曲げ操作を展開する使用時の本発明の歯ブラシカードの正面の状態を説明する図である。本発明の歯ブラシカードの折り曲げ操作を展開することによって、歯ブラシ装置Ｈ、歯ブラシ装置を支える支柱部Ｉ、そしてハンドルJを有する使用時の歯ブラシ本体を実現する。
【００６１】
図１０（B）は、本発明の歯ブラシカードの折り曲げ操作を展開する使用時の本発明の歯ブラシカードの平面の状態を説明する図である。使用時の歯ブラシ本体に展開したとき、第６の板１２６は契合部材１４８によって第１の板１１６と契合することによって安定したハンドルを実現する。
【００６２】
図１０（C）は、本発明の歯ブラシカードの折り曲げ操作を展開した使用時の本発明の歯ブラシカードの底面の状態を説明する図である。使用時の歯ブラシ本体に展開したとき、第３の板１２０は歯ブラシとして使用時に一方の端部に設けられた契合部材１５２により層状に重なった第４の板１２２と契合することによって、安定したハンドルを実現する。
【００６３】
図１１（A）は、本発明の歯ブラシカードの折り曲げ操作を展開した使用時の本発明の歯ブラシカードの左側面の状態を説明する拡大図である。使用時の歯ブラシ本体に展開したとき、第６の板１２６は契合部材１４８によって第１の板１１６と契合することによって安定したハンドルを実現する。第３の板１２０は、第４の板１２２と層状に重なることにより安定した歯ブラシ装置Ｈ、歯ブラシ装置を支える支柱部Ｉ、そしてハンドルJを構成する。さらに、図示されているように第１から第６までの板は三角形の構造を実現するので安定した歯ブラシ装置Ｈ、歯ブラシ装置を支える支柱部Ｉ、そしてハンドルJを構成する。
【００６４】
図１１（B）は、本発明の歯ブラシカードの折り曲げ操作を展開した使用時の本発明の歯ブラシカードの右側面の状態を説明する図である。使用時の歯ブラシ本体に展開したとき、第３の板１２０は歯ブラシとして使用時に一方の端部に設けられた契合部材１５２により層状に重なった第４の板１２２と契合することによって、安定したハンドルを実現する。さらに、第１の板１１６に設けられた契合部材１０８及び１１０が第３の板１２０及び第４の板１２２と契合することによって、安定したハンドルを実現する。ここで、第３の板と第４の板が層を構成し、第１から第６までの板が三角形状を構成することによる安定性については既に説明した通りである。
【００６５】
図１２（A）は、本発明の情報生活カードの全体概観図である。本発明の情報生活カードは、電源スイッチ２１０、筐体カバー２１２、鏡面２１４、内臓電池２１６、照明スイッチ２１８、照明用の窓２１９、筐体蓋２２０、そしてラジオ、計算機、通信機、その他の厚みの薄い情報処理機器２２２で構成する。電源スイッチ２１０は、情報機器２２２の電源供給を開閉する。筐体２１２は、本発明の歯ブラシカード２２６、髭剃りカード２２４、爪楊枝、その他を納める。内臓電池２１６は、照明用のデバイス及び情報処理機器２２２の電源である。照明スイッチ２１８は、照明の点灯を制御する。筐体蓋２２０は、本発明の歯ブラシカード２２６、髭剃りカード２２４、その他の収容物の出し入れするために開閉する。
【００６６】
図１２（Ｂ）は、照明用の窓２１９の構造を説明するための部分断面図である。高輝度発光ダイオード２３２から発光した光は、反射鏡２３４により反射され、窓２１９より照明光を出力する。これにより、暗闇でも安心して髭をそり、歯を磨くことができる。
【００６７】
図１３は、筐体蓋２２０を開いた状態での使用時の本発明の情報生活カードを筐体蓋の方向（図１２（A）における方向L）から見た側面の状態を説明する図である。筐体蓋２２０は、筐体２１２と筐体蓋２２０との接続部分２３０で、適度な摩擦を伴なって内部の軸（図示せず）を中心に回転可能である。筐体２１２は、爪楊枝、その他の小物を納める収納空間２２８を有する。筐体蓋２２０を開いた状態での使用時の本発明の情報生活カードにおいて、情報処理機器２２２は筐体蓋２２０に支えられて水平面に対して所定の角度を保って使用できる。
【００６８】
図１４は、使用時の本発明の情報生活カードを上面（図１２（A）における方向Ｍ）から見た側面の状態を説明する図である。筐体カバー２１２は、筐体カバー２１２と筐体基部２４０との接続部分２４２で、内部の軸（図示せず）を中心に回転可能である。
【００６９】
【発明の効果】
本発明は、以上説明したように構成されているので、以下に記載されるような効果を奏する。
【００７０】
本発明の髭剃りカードは、厚さが約２ミリメートル程度の薄さであるので携帯に便利であり、いつでも、どこでも、必要なとき即座に使用できる。
【００７１】
本発明の歯ブラシカードは、厚さが約２ミリメートル程度の薄さであるので携帯に便利であり、いつでも、どこでも、必要なとき即座に使用できる。
【図面の簡単な説明】
【図１】本発明の髭剃りカードを全開した状態を説明する図である。
【図２】折りたたんだ状態の本発明の髭剃りカードを説明する図である。
【図３】本発明の髭剃りカードを使用する状態に折り曲げた状態を説明する図である。
【図４】本発明の髭剃りカードを使用する状態に折り曲げた状態を説明する図である。
【図５】第２の実施例の髭剃り板を説明する図である。
【図６】第２の実施例の髭剃り板の髭剃り部を説明する図である。
【図７】第３の実施例の髭剃り板の髭剃り部を説明する図である。
【図８】本発明の歯ブラシカードを全開した状態を説明する図である。
【図９】本発明の歯ブラシカードを折りたたんだ状態を説明する図である。
【図１０】本発明の歯ブラシカードの折り曲げ操作を展開した使用時の本発明の歯ブラシカードを説明する図である。
【図１１】本発明の歯ブラシカードの折り曲げ操作を展開した使用時の本発明の歯ブラシカードの状態を説明する拡大図である。
【図１２】本発明の情報生活カードの全体概観図及び照明用の窓の構造を説明するための部分断面図である。
【図１３】筐体蓋を開いた状態での使用時の本発明の情報生活カードを筐体蓋の方向から見た状態を説明する図である。
【図１４】使用時の本発明の情報生活カードを上方向から見た状態を説明する図である。
【符号の説明】
２１２  筐体カバー
２２０  筐体蓋
２２２  情報処理機器
２２４  髭剃りカード
２２６  歯ブラシカード
【図２】
0004446110.tif 000002
【図５】
0004446110.tif 000003
【図７】
0004446110.tif 000004
【図１０】
0004446110.tif 000005
【図１１】
0004446110.tif 000006
【図１２】
0004446110.tif 000007
【図１３】
0004446110.tif 000008
【図１４】
0004446110.tif 000009
【図１】
0004446110.tif 000010
【図３】
0004446110.tif 000011
【図４】
0004446110.tif 000012
【図６】
0004446110.tif 000013
【図８】
0004446110.tif 000014
【図９】
0004446110.tif 000015